(57)【要約】【課題】色温度の設定値によらずに安定した発光動作を行うことを可能とする光源システムを提供する。【解決手段】光量バランス制御部１２１により設定された光源部１０の色温度に応じて、光量バランス制御部１２１から供給される制御信号Ｄ６Ｒ，Ｄ６Ｇ，Ｄ６Ｂにより、抵抗器部１１４Ｒ，１１４Ｇ，１１４Ｂ内の互いに並列接続された複数の抵抗器（例えば、抵抗器Ｒ１，Ｒ２）間の接続切替の制御を行うようにする。これにより、色温度に応じて、抵抗器部１１４Ｒ，１１４Ｇ，１１４Ｂ全体としての抵抗値の調整が可能となり、ＰＷＭドライバ１１３および抵抗器部１０４Ｂにおける動作点も維持可能となる。【選択図】図５
2009157190.tif 000002
【特許請求の範囲】
【請求項１】
複数の色光を混合して特定の色光を発する混色方式の光源システムであって、
互いに異なる色光を発する複数種類の光源を有する光源部と、
各光源の発光時に流れる発光電流を検出するための互いに並列接続された複数の抵抗器を有する抵抗器部と、
各光源の点灯期間をそれぞれ変化させることにより、前記光源部の輝度を制御する輝度制御手段と、
前記複数種類の光源のうちの少なくとも一種類の光源について、少なくともその光源の発光強度を変化させることにより、前記光源部の色温度を制御する色温度制御手段と、
前記色温度制御手段により設定された光源部の色温度に応じて、前記抵抗器部における複数の抵抗器間の接続切替の制御を行う切替制御手段と
を含むことを特徴とする光源システム。
【請求項２】
前記切替制御手段は、設定された色温度によって前記発光電流が減少する場合には、前記抵抗器部全体としての抵抗値が増加するように前記複数の抵抗器間の接続切替の制御を行う一方、設定された色温度によって前記発光電流が増加する場合には、前記抵抗器部全体としての抵抗値が減少するように前記複数の抵抗器間の接続切替の制御を行う
ことを特徴とする請求項１に記載の光源システム。
【請求項３】
前記切替制御手段は、前記抵抗器部の両端間の電圧が設定された色温度によらずに一定となるように制御する
ことを特徴とする請求項２に記載の光源システム。
【請求項４】
前記複数の抵抗器の抵抗値が互いに異なっており、各々の抵抗値に重み付けがなされている
ことを特徴とする請求項１ないし請求項３のいずれか１項に記載の光源システム。
【請求項５】
前記光源部が、互いに独立して制御可能な複数の部分点灯部により構成され、
前記輝度制御手段、前記色温度制御手段および前記切替制御手段は、前記部分点灯部単位で、前記光源部の輝度、前記光源部の色温度および前記抵抗器部における接続切替の制御を行う
ことを特徴とする請求項１ないし請求項４のいずれか１項に記載の光源システム。
【請求項６】
前記光源システムから発せられた光を映像信号に基づいて変調する表示部をさらに含む
ことを特徴とする請求項１ないし請求項５のいずれか１項に記載の光源システム。
【請求項７】
互いに異なる色光を発する複数種類の光源を有する光源部と、各光源の発光時に流れる発光電流を検出するための互いに並列接続された複数の抵抗器を有する抵抗器部とを備えると共に、前記複数の色光を混合して特定の色光を得る混色方式の光源装置に適用される光源制御装置であって、
各光源の点灯期間をそれぞれ変化させることにより、前記光源部の輝度を制御する輝度制御手段と、
前記複数種類の光源のうちの少なくとも一種類の光源について、少なくともその光源の発光強度を変化させることにより、前記光源部の色温度を制御する色温度制御手段と、
前記色温度制御手段により設定された光源部の色温度に応じて、前記抵抗器部における複数の抵抗器間の接続切替の制御を行う切替制御手段と
を備えたことを特徴とする光源制御装置。
【請求項８】
複数の色光を混合して特定の色光を得る混色方式の光源装置であって、
互いに異なる色光を発する複数種類の光源を有する光源部と、
各光源の発光時に流れる発光電流を検出するための互いに並列接続された複数の抵抗器を有する抵抗器部と、
各光源の点灯期間をそれぞれ変化させることにより、前記光源部の輝度を制御する輝度制御手段と、
前記複数種類の光源のうちの少なくとも一種類の光源について、少なくともその光源の発光強度を変化させることにより、前記光源部の色温度を制御する色温度制御手段と、
前記色温度制御手段により設定された光源部の色温度に応じて、前記抵抗器部における複数の抵抗器間の接続切替の制御を行う切替制御手段と
を備えたことを特徴とする光源装置。
【請求項９】
複数の色光を混合して特定の色光を発する混色方式の光源装置により発せられた光を、映像信号に基づいて表示部において変調することにより画像表示を行う画像表示方法であって、
互いに異なる色光を発する複数種類の光源を有する光源部において、各光源の点灯期間をそれぞれ変化させることにより、前記光源部の輝度を制御し、
前記複数種類の光源のうちの少なくとも一種類の光源について、少なくともその光源の発光強度を変化させることにより、前記光源部の色温度を制御し、
設定された光源部の色温度に応じて、各光源の発光時に流れる発光電流を検出するための互いに並列接続された複数の抵抗器間の接続切替の制御を行う
ことを特徴とする画像表示方法。
【請求項１０】
複数の色光を混合して特定の色光を発する混色方式の光源システムであって、
互いに異なる色光を発する複数種類の光源を有する光源部と、
各光源の発光時に流れる発光電流を検出するための互いに並列接続された複数の抵抗器を有する抵抗器部と、
各光源の点灯期間をそれぞれ変化させることにより、前記光源部の輝度を制御する輝度制御手段と、
前記複数種類の光源のうちの少なくとも一種類の光源について、少なくともその光源の発光強度を変化させるように制御する発光強度制御手段と、
前記発光強度制御手段により設定された光源の発光強度に応じて、前記抵抗器部における複数の抵抗器間の接続切替の制御を行う切替制御手段と
を含むことを特徴とする光源システム。
【発明の詳細な説明】
【技術分野】
【０００１】
本発明は、例えば液晶表示装置のバックライト光源として用いられる光源装置、そのような光源装置に適用される光源制御装置、ならびにそのような光源装置を用いた光源システムおよび画像表示方法に関する。
【背景技術】
【０００２】
近年、液晶ＴＶやプラズマディスプレイ（ＰＤＰ：Plasma Display Panel）に代表されるようにディスプレイの薄型化が流れとしてあり、なかでもモバイル用ディスプレイの多くは液晶系であり、忠実な色の再現性が望まれている。また、液晶パネルのバックライトは蛍光管を使ったＣＣＦＬ（Cold Cathode Fluorescent Lamp）タイプが主流であるが、環境的に水銀レスが要求されてきており、ＣＣＦＬに変わる光源として発光ダイオード（ＬＥＤ：Light Emitting Diode）等が有望視されている。
【０００３】
このようなＬＥＤを用いたバックライト装置としては、例えば特許文献１，２に示したようなものが提案されている。特許文献１に示されたＬＥＤバックライト装置は、外光を検出することにより、周囲の環境の明るさに応じてバックライト装置全体の輝度レベルを変化させるようにしたものである。一方、特許文献２に示されたＬＥＤバックライト装置は、液晶パネルの動画応答性を高めるため、光源部を複数の部分点灯部に分割して構成すると共にこれら複数の部分点灯部が順次点灯動作を行うようにすることにより、いわゆる黒挿入処理を行うようにしたものである。
【０００４】
【特許文献１】特開２００６−１４５８８６号公報
【特許文献２】特開２００６−２４３２８３号公報
【発明の開示】
【発明が解決しようとする課題】
【０００５】
ところで、このようなＬＥＤバックライト装置では、一般に、赤色ＬＥＤ、緑色ＬＥＤおよび青色ＬＥＤ等の複数種類のＬＥＤを用いることにより、複数の色光を混合して特定の色光を得る混色方式のものが採用されている。
【０００６】
ここで、従来のＬＥＤバックライト装置では、各色用のＬＥＤの点灯期間をＰＷＭ（Pulse Width Modulation；パルス幅変調）制御によって適宜変化させることにより、光源の色温度を変化させていた。例えば、ある色温度Ａから別の色温度Ｂへと変化させるときに、青色ＬＥＤの点灯期間のデューティを約１／２に設定するといった具合である。
【０００７】
しかしながら、これでは、ＬＥＤバックライト装置をＰＷＭ制御によって輝度制御をする際の階調の分解能が犠牲になってしまうことになる。そこで、色温度を制御する手法として、各色用のＬＥＤの点灯期間を変化させる（ＰＷＭ制御）のではなく、各色用のＬＥＤに流す電流を変化させる（上記の例の場合、青色用のＬＥＤに流す電流が約１／２となるように設定する）ようにすることが考えられる。この手法によれば、ＰＷＭ制御によって輝度制御をする際の階調の分解能を維持しつつ、色温度の制御が可能となるからである。
【０００８】
ところが、各色用のＬＥＤに流す電流を変化させた場合、別の問題点が生じてしまうことが考えられる。すなわち、上記の例のようにＬＥＤに流す電流を約１／２に設定すると、この電流を検出するための定電流回路（抵抗器を含む電流検出回路）における検出電圧も約１／２の大きさとなるため、この定電流回路の動作点が変化してしまうことになる。このとき、もし定電流回路のダイナミックレンジが足りなくなってしまうと、動作が不安定になり、ＬＥＤバックライト装置の色度点（色温度）も異常になってしまう。
【０００９】
本発明はかかる問題点に鑑みてなされたもので、その目的は、光源部の色温度の設定値によらずに安定した発光動作を行うことを可能とする光源制御装置および光源装置、ならびにそのような光源装置を用いた光源システムおよび画像表示方法を提供することにある。
【課題を解決するための手段】
【００１０】
本発明の第１の光源システムは、複数の色光を混合して特定の色光を発する混色方式の光源システムであって、互いに異なる色光を発する複数種類の光源を有する光源部と、各光源の発光時に流れる発光電流を検出するための互いに並列接続された複数の抵抗器を有する抵抗器部と、各光源の点灯期間をそれぞれ変化させることにより光源部の輝度を制御する輝度制御手段と、複数種類の光源のうちの少なくとも一種類の光源について、少なくともその光源の発光強度を変化させることにより光源部の色温度を制御する色温度制御手段と、この色温度制御手段により設定された光源部の色温度に応じて、抵抗器部における複数の抵抗器間の接続切替の制御を行う切替制御手段とを含むようにしたものである。なお、この第１の光源システムは、さらに、映像信号に基づいて画像表示を行う表示部を含むようにしてもよい。
【００１１】
本発明の光源制御装置は、上記光源部と上記抵抗器部とを備えると共に、上記複数の色光を混合して特定の色光を得る混色方式の光源装置に適用されるものであって、上記輝度制御手段と、上記色温度制御手段と、上記切替制御手段とを備えたものである。
【００１２】
本発明の光源装置は、複数の色光を混合して特定の色光を得る混色方式の光源装置であって、上記光源部と、上記抵抗器部と、上記輝度制御手段と、上記色温度制御手段と、上記切替制御手段とを備えたものである。
【００１３】
本発明の画像表示方法は、複数の色光を混合して特定の色光を発する混色方式の光源装置により発せられた光を映像信号に基づいて表示部において変調することにより画像表示を行うものであって、互いに異なる色光を発する複数種類の光源を有する光源部において、各光源の点灯期間をそれぞれ変化させることにより光源部の輝度を制御し、複数種類の光源のうちの少なくとも一種類の光源について、少なくともその光源の発光強度を変化させることにより光源部の色温度を制御し、設定された光源部の色温度に応じて、各光源の発光時に流れる発光電流を検出するための互いに並列接続された複数の抵抗器間の接続切替の制御を行うようにしたものである。
【００１４】
本発明の第２の光源システムは、複数の色光を混合して特定の色光を発する混色方式の光源システムであって、上記光源部と、上記抵抗器部と、各光源の点灯期間をそれぞれ変化させることにより光源部の輝度を制御する輝度制御手段と、複数種類の光源のうちの少なくとも一種類の光源について、少なくともその光源の発光強度を変化させるように制御する色温度制御手段と、この色温度制御手段により設定された光源の発光強度に応じて、抵抗器部における複数の抵抗器間の接続切替の制御を行う切替制御手段とを含むようにしたものである。なお、この第２の光源システムもまた、さらに、映像信号に基づいて画像表示を行う表示部を含むようにしてもよい。
【００１５】
なお、以上の構成要件の任意の組み合わせ、本発明の表現をシステム、装置、方法などの間で変換したものもまた、本発明の態様として有効である。
【００１６】
本発明の第１の光源システム、光源制御装置、光源装置および画像表示方法では、各光源の点灯期間をそれぞれ変化させることにより、光源部の輝度が制御されると共に、複数種類の光源のうちの少なくとも一種類の光源について、少なくともその光源の発光強度を変化させることにより、光源部の色温度が制御される。これにより、光源部の輝度制御の際の階調の分解能が維持可能となる。また、設定された光源部の色温度に応じて、互いに並列接続された複数の抵抗器間の接続切替の制御がなされることにより、色温度に応じて、発光電流を検出するための回路（抵抗器部）における抵抗値の調整が可能となる。これにより、この発光電流を検出するための回路における動作点も維持可能となる。
【００１７】
本発明の第２の光源システムでは、各光源の点灯期間をそれぞれ変化させることにより、光源部の輝度が制御されると共に、複数種類の光源のうちの少なくとも一種類の光源について、少なくともその光源の発光強度が変化するように制御される。これにより、光源部の輝度制御の際の階調の分解能が維持可能となる。また、設定された光源の発光強度に応じて、互いに並列接続された複数の抵抗器間の接続切替の制御がなされることにより、例えば光源部の色温度に応じて、発光電流を検出するための回路（抵抗器部）における抵抗値の調整が可能となる。これにより、この発光電流を検出するための回路における動作点も維持可能となる。
【発明の効果】
【００１８】
本発明の第１の光源システム、光源制御装置、光源装置または画像表示方法によれば、設定された光源部の色温度に応じて、互いに並列接続された複数の抵抗器間の接続切替の制御を行うようにしたので、色温度に応じて、発光電流を検出するための回路（抵抗器部）における抵抗値の調整をすることができ、この発光電流を検出するための回路における動作点も維持することが可能となる。よって、光源部の色温度の設定値によらずに安定した発光動作を行うことが可能となる。
【００１９】
本発明の第２の光源システムによれば、設定された光源の発光強度に応じて、互いに並列接続された複数の抵抗器間の接続切替の制御を行うようにしたので、例えば光源部の色温度に応じて、発光電流を検出するための回路（抵抗器部）における抵抗値の調整をすることができ、この発光電流を検出するための回路における動作点も維持することが可能となる。よって、光源部の色温度の設定値によらずに安定した発光動作を行うことが可能となる。
【発明を実施するための最良の形態】
【００２０】
以下、本発明の実施の形態について、図面を参照して詳細に説明する。
【００２１】
図１は、本発明の一実施の形態に係る画像表示システム（液晶表示装置３）の全体構成を表すものである。この液晶表示装置３は、透過光を表示光Ｄoutとして出射するいわゆる透過型の液晶表示装置であり、本発明の一実施の形態に係る光源装置としてのバックライト装置１と、透過型の液晶表示パネル２とを含んで構成されている。なお、本発明の一実施の形態に係る画像表示方法は、本実施の形態に係る画像表示システムによって具現化されるので、以下、併せて説明する。
【００２２】
液晶表示パネル２は、透過型の液晶層２０と、この液晶層２０を挟む一対の基板、すなわちバックライト装置１側の基板であるＴＦＴ（Thin Film Transistor：薄膜トランジスタ）基板２１１およびこれに対向する基板である対向電極基板２２１と、これらＴＦＴ基板２１１および対向電極基板２２１における液晶層２０と反対側にそれぞれ積層された偏光板２１０，２２０とから構成されている。
【００２３】
また、ＴＦＴ基板２１１にはマトリクス状の画素が構成され、各画素にはＴＦＴなどの駆動素子を含む画素電極２１２が形成されている。
【００２４】
バックライト装置１は、複数の色光（この場合、赤色光、緑色光および青色光）を混合して特定の色光である照明光Ｌoutを得る混色方式のものである。このバックライト装置１は、互いに異なる色光を発する３種類の光源として、赤色ＬＥＤ１Ｒ、緑色ＬＥＤ１Ｇおよび青色ＬＥＤ１Ｂをそれぞれ複数個含む光源部（後述する光源部１０）を有している。
【００２５】
図２および図３は、バックライト装置１における各色ＬＥＤの配置構成の一例を表したものである。
【００２６】
図２（Ａ）に示したように、このバックライト装置１では、２組の赤色ＬＥＤ１Ｒ、緑色ＬＥＤ１Ｇおよび青色ＬＥＤ１Ｂによって発光部の単位セル４１，４２がそれぞれ形成され、これら２つの単位セル４１，４２によって発光部の単位ユニットである部分点灯部４が形成されるようになっている。また、各単位セル内および単位セル４１，４２間では、各色ＬＥＤがそれぞれ直列に接続されている。具体的には、図２（Ｂ）に示したようにして、各色ＬＥＤのアノードとカソードが接続されるようになっている。
【００２７】
このようにして構成された各部分点灯部４は、例えば図３に示したように、光源部１０においてマトリクス状に配置され、後述するように互いに独立して制御可能となっている。また、この光源部１０上には、４つの部分点灯部４（例えば、部分点灯部４Ａ〜４Ｄ）に対して１つの照明光センサ１３が配置されている。この照明光センサ１３は、部分点灯部４からの光（後述する照明光Ｌout）を受光するものであり、４つの部分点灯部４の配置領域に対応する領域（検出領域４０）からの光を受光できるようになっている。
【００２８】
次に、図４を参照して、上述した液晶表示パネル２および光源部１０の駆動および制御部分の構成について詳細に説明する。図４は、液晶表示装置３のブロック構成を表したものである。なお、図４（および後述する図５）において照明光センサ１３は、便宜上、光源部１０の近辺に１つだけ配置されているものとして表している。
【００２９】
図４に示したように、液晶表示パネル２を駆動して映像を表示するための駆動回路は、液晶表示パネル２内の各画素電極２１２へ映像信号に基づく駆動電圧を供給するＸドライバ（データドライバ）５１と、液用表示パネル２内の各画素電極２１２を図示しない走査線に沿って線順次駆動するＹドライバ（ゲートドライバ）５２と、これらＸドライバ５１およびＹドライバ５２を制御するタイミング制御部（タイミング・ジェネレータ）６１と、外部からの映像信号を処理してＲＧＢ信号を生成するＲＧＢプロセス処理部６０（シグナル・ジェネレータ）と、このＲＧＢプロセス処理部６０からのＲＧＢ信号を記憶するフレームメモリである映像メモリ６２とから構成されている。
【００３０】
一方、バックライト装置１の光源部１０が点灯動作を行うための駆動および制御を行う部分は、バックライト駆動部１１と、バックライト制御部１２と、照明光センサ１３と、Ｉ／Ｖ変換部１４と、Ａ／Ｄ変換部１５とから構成されている。
【００３１】
照明光センサ１３は、光源部１０（具体的には、上記のように各検出領域４０内の部分点灯部４）からの照明光Ｌoutを受光して受光信号を得るものであり、複数の色光（この場合、赤色光、緑色光および青色光）を混合してなる混色光の中から赤色光を抽出して選択的に受光する赤色光センサ１３Ｒと、緑色光を抽出して選択的に受光する緑色光センサ１３Ｇと、青色光を抽出して選択的に受光する青色光センサ１３Ｂとから構成されている。
【００３２】
Ｉ／Ｖ変換部１４は、照明光センサ１３で得られた各色ごとの受光信号に対してＩ／Ｖ（電流／電圧）変換を施し、アナログの電圧信号である受光データを各色ごとに出力するものである。
【００３３】
Ａ／Ｄ変換部１５は、Ｉ／Ｖ変換部１４から出力される各色ごとの受光データを、タイミング制御部６１から供給されるサンプリングゲート信号ＳＧに従って所定のタイミングでサンプリングすると共にＡ／Ｄ（アナログ／ディジタル）変換を施し、ディジタルの電圧信号である受光データＤ１を各色ごとにバックライト制御部１２へ出力するものである。
【００３４】
バックライト制御部１２は、Ａ／Ｄ変換部１５から供給される各色ごとの受光データＤ１、およびタイミング制御部６１から供給される制御信号（制御データ）Ｄ０に基づいて後述する制御信号Ｄ３，Ｄ４，Ｄ６を生成・出力し、バックライト駆動部１１の駆動動作を制御するものである。なお、このバックライト制御部１２の詳細な構成については、後述（図５および図６）する。
【００３５】
バックライト駆動部１１は、バックライト制御部１２から供給される制御信号Ｄ３，Ｄ４，Ｄ６、およびタイミング制御部６１から供給される制御信号Ｄ０に基づいて、部分点灯部４単位で点灯動作を行うように光源部１０を時分割で駆動するものである。なお、このバックライト駆動部１１の詳細な構成についても、後述（図５および図６）する。
【００３６】
次に、図５および図６を参照して、上述したバックライト駆動部１１およびバックライト制御部１２の詳細構成について説明する。図５は、バックライト駆動部１１およびバックライト制御部１２の詳細構成、ならびに光源部１０、照明光センサ１３、Ｉ／Ｖ変換部１４およびＡ／Ｄ変換部１５の構成についてブロック図で表したものである。また、図６は、図５に示した電源部（後述する電源部１１０）、光源部１０、ＰＷＭドライバ（後述するＰＷＭドライバ１１３）および抵抗器部（後述する抵抗器部１１４）の詳細構成を、特に青色ＬＥＤ１Ｂに関するものについてのみ回路図で表したものである。なお、受光データＤ１は、赤色受光データＤ１Ｒと、緑色受光データＤ１Ｇと、青色受光データＤ１Ｂとから構成され、制御信号Ｄ３は、赤色用制御信号Ｄ３Ｒと、緑色用制御信号Ｄ３Ｇと、青色用制御信号Ｄ３Ｂとから構成されているものとする。また、ここでは便宜上、光源部１０内において赤色ＬＥＤ１Ｒ、緑色ＬＥＤ１Ｇおよび青色ＬＥＤ１Ｂが、全て互いに直列接続されたものとして表している。
【００３７】
図５に示したように、バックライト駆動部１１は、電源部１１０と、バックライト制御部１２から供給される制御信号Ｄ３（赤色用制御信号Ｄ３Ｒ、緑色用制御信号Ｄ３Ｇおよび青色用制御信号Ｄ３Ｂ）に従って電源部１１０からの電源供給により光源部１０内の赤色ＬＥＤ１Ｒ、緑色ＬＥＤ１Ｇおよび青色ＬＥＤ１Ｂのアノード側へそれぞれ電流ＩＲ，ＩＧ，ＩＢを供給する定電流ドライバ１１１Ｒ，１１１Ｇ，１１１Ｂと、後述する複数の抵抗器を有する抵抗器部１１４Ｒ，１１４Ｇ，１１４Ｂと、赤色ＬＥＤ１Ｒ、緑色ＬＥＤ１Ｇおよび青色ＬＥＤ１Ｂの各々のカソードと抵抗器部１１４Ｒ，１１４Ｇ，１１４Ｂとの間に接続されたスイッチング素子１１２Ｒ，１１２Ｇ，１１２Ｂと、バックライト制御部１２から供給される制御信号Ｄ４およびタイミング制御部６１から供給される制御信号Ｄ０に基づいてスイッチング素子１１２Ｒ，１１２Ｇ，１１２Ｂに対する制御信号Ｄ５（パルス信号）を生成・出力し、これらスイッチング素子１１２Ｒ，１１２Ｇ，１１２ＢをそれぞれＰＷＭ制御するＰＷＭドライバ１１３とを有している。なお、スイッチング素子１１２Ｒ，１１２Ｇ，１１２Ｂは、後述するように、例えばＭＯＳ−ＦＥＴ（Metal Oxide Semiconductor-Field Emission Transistor）等のトランジスタなどにより構成される。
【００３８】
また、バックライト制御部１２は、光量バランス制御部１２１と、光量制御部１２２とを有している。
【００３９】
光量バランス制御部１２１は、Ａ／Ｄ変換部１５から供給される受光データＤ１（赤色受光データＤ１Ｒ、緑色受光データＤ１Ｇおよび青色受光データＤ１Ｂ）、およびタイミング制御部から供給される制御信号Ｄ０に基づいて定電流ドライバ１１１Ｒ，１１１Ｇ，１１１Ｂに対する制御信号Ｄ３（赤色用制御信号Ｄ３Ｒ、緑色用制御信号Ｄ３Ｇおよび青色用制御信号Ｄ３Ｂ）をそれぞれ生成・出力することにより、赤色ＬＥＤ１Ｒ、緑色ＬＥＤ１Ｇおよび青色ＬＥＤ１Ｂに流れる電流（発光電流）ＩＲ，ＩＧ，ＩＢを色温度ごとにそれぞれ変化させてそれらの発光強度を変化させ、これにより設定値に応じて光源部１０からの照明光Ｌoutの色バランス（色温度）を制御するものである。
【００４０】
この光量バランス制御部１２１はまた、上記受光データＤ１および制御信号Ｄ０に基づき、設定された光源部１０の色温度に応じて制御信号Ｄ６（赤色用制御信号Ｄ６Ｒ、緑色用制御信号Ｄ６Ｇおよび青色用制御信号Ｄ６Ｂ）をそれぞれ生成・出力することにより、後述する抵抗器部１１４Ｒ，１１４Ｇ，１１４Ｂ内の複数の抵抗器間の接続切替の制御を行うようになっている。なお、このような接続切替の制御の詳細については、後述する。
【００４１】
光量制御部１２２は、Ａ／Ｄ変換部１５から供給される受光データＤ１のうちの緑色受光データＤ１Ｇ、およびタイミング制御部から供給される制御信号Ｄ０に基づいて、ＰＷＭドライバ１１３に対する制御信号Ｄ４を生成・出力することにより、赤色ＬＥＤ１Ｒ、緑色ＬＥＤ１Ｇおよび青色ＬＥＤ１Ｂの発光期間（点灯期間）をそれぞれ変化させ、これにより光源部１０からの照明光Ｌoutの発光量（発光輝度）を制御するものである。なお、ここでは制御信号Ｄ１Ｒ，Ｄ１Ｇ，Ｄ１ＢのうちのＤ１Ｇのみを入力しているが、これは人間の視感度が緑色光に対して最も高いためであり、他の制御信号Ｄ１Ｒ，Ｄ１Ｂを入力するようにしてもよい。
【００４２】
次に、図６に示したように、電源部１１０は、後述する発光電流Ｉｆ１を発生させるための電源ＶＣＣ_ＬＥＤを含んで構成されている。この電源ＶＣＣ_ＬＥＤは、青色ＬＥＤ１Ｂのアノード側に接続されている。また、青色ＬＥＤ１Ｂに関するスイッチング素子１１２Ｂは、ＮチャネルのＭＯＳ−ＦＥＴにより構成されており、青色ＬＥＤ１Ｂのカソード側にドレインが接続されている。
【００４３】
ＰＷＭドライバ１１３は、青色ＬＥＤ１Ｂに関するものとして、例えばダイナミックレンジの上限が３．３（Ｖ）であるオペアンプＯＰ１Ｂと、スイッチング素子ＳＷ１Ｂとを有している。具体的には、オペアンプＯＰ１Ｂは、スイッチング素子１１２Ｂの制御用の電圧Ｖ２を正極入力端子に入力すると共に、負極入力端子がスイッチング素子１１２Ｂのソースに接続されており、これにより電圧Ｖ２と後述する検出用の電圧Ｖ１との値がほぼ等しくなるようになっている（オペアンプＯＰ１Ｂがボルテージフォロワとして機能する）。また、スイッチング素子ＳＷ１Ｂは、制御信号Ｄ０，Ｄ４に応じて、オペアンプＯＰ１Ｂの出力端子および接地（グランド）のうちの一方を、スイッチング素子１１２Ｂのゲートに接続するようになっている。なお、スイッチング素子ＳＷ１Ｂも、例えばＭＯＳ−ＦＥＴ等のトランジスタなどにより構成される。なお、ＰＷＭドライバ１１３における赤色ＬＥＤ１Ｒおよび緑色ＬＥＤ１Ｇに関するもの（図示せず）も、同様の構成となっている。
【００４４】
青色ＬＥＤ１Ｂに関する抵抗器部１１４Ｂは、青色ＬＥＤ１Ｂの発光時に流れる電流（図中の発光電流Ｉｆ１）を検出するための抵抗器である、互いに並列接続された２つの抵抗器Ｒ１，Ｒ２と、光量バランス制御部１２１から供給される制御信号Ｄ６Ｂに基づいてこれら抵抗器Ｒ１，Ｒ２間の接続切替を行うためのスイッチング素子ＳＷ２Ｂとを有している。具体的には、抵抗器Ｒ１の一端は、スイッチング素子１１２Ｂのソースおよびスイッチング素子ＳＷ２Ｂの一端に接続され、抵抗器Ｒ１の他端は接地されている。また、抵抗器Ｒ２の一端はスイッチング素子ＳＷ２Ｂの他端に接続され、抵抗器Ｒ２の他端も接地されている。なお、スイッチング素子ＳＷ２Ｂも、例えばＭＯＳ−ＦＥＴ等のトランジスタなどにより構成される。このような構成により抵抗器部１１４Ｂでは、詳細は後述するが、制御信号Ｄ６Ｂに基づいて抵抗器部１１４Ｂの両端間の電圧Ｖ１が調整され、光源部１０の色温度によらずにほぼ一定となるようになっている。なお、赤色ＬＥＤ１Ｒに関する抵抗器部１１４Ｒおよび緑色ＬＥＤ１Ｇに関する抵抗器部１１４Ｇの詳細構成（図示せず）も、抵抗器部１１４Ｂと同様の構成となっている。
【００４５】
ここで、バックライト制御部１２が、本発明における「光源制御装置」の一具体例に対応する。また、液晶表示パネル２が、本発明における「表示部」の一具体例に対応する。また、光量バランス制御部１２１が本発明における「色温度制御手段」および「切替制御手段」の一具体例に対応し、光量制御部１２２が本発明における「輝度制御手段」および「発光強度制御手段」の一具体例に対応する。
【００４６】
次に、このような構成からなる本実施の形態のバックライト装置１および液晶表示装置３の動作について、詳細に説明する。
【００４７】
まず、図１〜図９を参照して、本実施の形態のバックライト装置１および液晶表示装置３の基本動作について説明する。図７は、バックライト装置１の光源部１０における点灯動作をタイミング波形図で表したものであり、（Ａ）は赤色ＬＥＤ１Ｒに流れる電流（発光電流）ＩＲを、（Ｂ）は緑色ＬＥＤ１Ｇに流れる電流ＩＧを、（Ｃ）は青色ＬＥＤ１Ｂに流れる電流ＩＢを、それぞれ表している。また、図８は、液晶表示装置３全体の動作の概略をタイミング波形図で表したものであり、（Ａ）はＸドライバ５１から液晶表示パネル２内のある画素電極２１２へ印加される電圧（画素印加電圧、駆動電圧）を、（Ｂ）は液晶分子の応答性（画素電極２１２における実際の電位状態）を、（Ｃ）はＹドライバ５２から液晶表示パネル２内のＴＦＴ素子のゲートへ印加される電圧（画素ゲートパルス）を、それぞれ表している。
【００４８】
このバックライト装置１では、バックライト駆動部１１においてスイッチング素子１１２Ｒ，１１２Ｇ，１１２Ｂがそれぞれオン状態となると、定電流ドライバ１１１Ｒ，１１１Ｇ，１１１Ｂからそれぞれ電流（発光電流）ＩＲ，ＩＧ，ＩＢが光源部１０内の赤色ＬＥＤ１Ｒ、緑色ＬＥＤ１Ｇおよび青色ＬＥＤ１Ｂへ流れ、これによりそれぞれ赤色発光、緑色発光および青色発光がなされ、混色光である照明光Ｌoutが発せられる。
【００４９】
この際、タイミング制御部６１からバックライト駆動部１１へ制御信号Ｄ０が供給され、バックライト駆動部１１内のＰＷＭドライバ１１３からスイッチング素子１１２Ｒ，１１２Ｇ，１１２Ｂへはこの制御信号Ｄ０に基づく制御信号Ｄ５がそれぞれ供給されるため、これによりスイッチング素子１１２Ｒ，１１２Ｇ，１１２Ｂは、この制御信号Ｄ０に従ったタイミングでオン状態となり、赤色ＬＥＤ１Ｒ、緑色ＬＥＤ１Ｇおよび青色ＬＥＤ１Ｂの点灯期間もこれに同期したものとなる。言い換えると、パルス信号である制御信号Ｄ５を用いた時分割駆動により、赤色ＬＥＤ１Ｒ、緑色ＬＥＤ１Ｇおよび青色ＬＥＤ１ＢがＰＷＭ駆動される。
【００５０】
また、このとき照明光センサ１３は、光源部１０からの照射光Ｌoutを受光する。具体的には、照明光センサ１３内の赤色光センサ１３Ｒ、緑色光センサ１３Ｇおよび青色光センサ１３Ｂにおいて、各色用のフォトダイオードによって、光源部１０からの照射光Ｌoutのうちの各色光がそれぞれ抽出されて各色光の光量に応じた電流が発生し、これにより電流値の受光データがＩ／Ｖ変換部１４へ供給される。また、各色ごとの電流値の受光データは、それぞれＩ／Ｖ変換部１４によってアナログ電圧値の受光データに変換される。そしてこれら各色ごとのアナログ電圧値の受光データは、Ａ／Ｄ変換部１５において、タイミング制御部６１から供給されるサンプリングゲート信号ＳＧに従った所定のタイミングでサンプリングされると共に、ディジタル電圧値の受光データＤ１Ｒ，Ｄ１Ｇ，Ｄ１Ｂに変換される。
【００５１】
ここでバックライト制御部１２では、Ａ／Ｄ変換部１５から供給された各色ごとの受光データＤ１Ｒ，Ｄ１Ｇ，Ｄ１Ｂに基づいて、光量バランス制御部１２１から定電流ドライバ１１１Ｒ，１１１Ｇ，１１１Ｂへ制御信号Ｄ３Ｒ，Ｄ３Ｇ，Ｄ３Ｂがそれぞれ供給され、これにより照射光Ｌoutの色度（色温度、色バランス）が一定に保たれるように、電流ＩＲ，ＩＧ，ＩＢの大きさΔＩＲ，ΔＩＧ，ΔＩＢ、すなわちＬＥＤ１Ｒ，１Ｇ，１Ｂの発光強度が調整される（図７（Ａ）〜（Ｃ）参照）。
【００５２】
また、光量制御部１２２では、Ａ／Ｄ変換部１５から供給された各色ごとの受光データＤ１Ｒ，Ｄ１Ｇ，Ｄ１Ｂのうちの受光データＤ１Ｇに基づいて制御信号Ｄ４が生成されると共にＰＷＭドライバ１１３へ供給され、これによりスイッチング素子ＳＷ１Ｂ等のオン・オフ動作の制御がなされるため、スイッチング素子１１２Ｒ，１１２Ｇ，１１２Ｂのオン期間、すなわち各色ＬＥＤ１Ｒ，１Ｇ，１Ｂの点灯期間ΔＴが調整される（図７（Ａ）〜（Ｃ）参照）。
【００５３】
このようにして光源部１０からの照明光Ｌoutに基づいて、電流ＩＲ，ＩＧ，ＩＢの大きさΔＩＲ，ΔＩＧ，ΔＩＢ（ＬＥＤ１Ｒ，１Ｇ，１Ｂの発光強度）および点灯期間が制御され、これにより照明光Ｌoutの発光量（発光輝度）が部分点灯部４単位で制御される。
【００５４】
一方、本実施の形態の液晶表示装置３全体では、映像信号に基づいてＸドライバ５１およびＹドライバ５２から出力される画素電極２１２への駆動電圧（画素印加電圧）によって、バックライト装置１の光源部１０からの照明光Ｌoutが液晶層２０で変調され、表示光Ｄoutとして液晶表示パネル２から出力される。このようにしてバックライト装置１が液晶表示装置３のバックライト（液晶用光源装置）として機能し、これにより表示光Ｄoutによる映像表示がなされる。
【００５５】
具体的には、例えば図８（Ｃ）に示したように、Ｙドライバ５２から液晶表示パネル２内の１水平ライン分のＴＦＴ素子のゲートへ画素ゲートパルスが印加され、それと共に図８（Ａ）に示したように、Ｘドライバ５１からその１水平ライン分の画素電極２１２へ、映像信号に基づく画素印加電圧が印加される。このとき、図８（Ｂ）に示したように、画素印加電圧に対して画素電極２１２の実際の電位の応答（液晶の応答）は遅れるため（画素印加電圧がタイミングｔ２１で立ち上がったのに対し、実際の電位はタイミングｔ１２で立ち上がっている）、バックライト装置１では、実際の電位が画素印加電圧と等しくなっているタイミングｔ２２〜ｔ２３の期間内に点灯状態となり（図８（Ｄ））、これにより液晶表示装置３において映像信号に基づく映像表示がなされる。なお、図８においてタイミングｔ２１〜ｔ２３の期間が１水平期間（１フレーム期間）に対応し、その後のタイミングｔ２３〜ｔ２５の１水平期間においても、液晶の焼き付き防止等のために画素印加電圧が共通（コモン）電位Ｖcomに対して反転しているのを除き、タイミングｔ２１〜ｔ２３の１水平期間と同様の動作となる。
【００５６】
また、この液晶表示装置３では、ＲＧＢプロセス処理部６０から供給される信号（映像信号に基づく信号）を利用して、タイミング制御部６１からバックライト駆動部１１内のＰＷＭドライバ１１３へ制御信号Ｄ０が供給されるため、例えば図９に示したように、光源部１０では、液晶表示パネル２における映像表示領域のうちの所定の輝度以上の映像表示領域（表示映像Ｐａが表示されている領域）に対応する領域の部分点灯部４のみが点灯して部分点灯領域Ｐｂが形成されるような動作が可能となっている。
【００５７】
次に、図１〜図９に加えて図１０〜図１４を参照して、本発明の特徴的部分の制御動作について、比較例と比較しつつ詳細に説明する。図１０は、比較例１に係る従来の色温度の変更方法をタイミング波形図で表したものであり、図１１は、比較例２および本実施の形態に係る色温度の変更方法をタイミング波形図で表したものである。また、図１２は、比較例２に係る電源部１１０、光源部１０、ＰＷＭドライバ１１３および抵抗器部１０４Ｂの詳細構成を回路図で表したものである。また、図１３（Ａ）は、比較例２に係るオペアンプＯＰ１Ｂの動作電圧範囲を表したものであり、図１３（Ｂ）は、本実施の形態に係るオペアンプＯＰ１Ｂの動作電圧範囲を表したものである。また、図１４は、本実施の形態に係る色温度の変更の際の抵抗器部１１４Ｒ，１１４Ｇ，１１４Ｂの制御方法を流れ図で表したものである。
【００５８】
まず、図１０に示した比較例１に係るバックライト装置では、各色用のＬＥＤ１Ｒ，１Ｇ，１Ｂの点灯期間をＰＷＭ制御によって適宜変化させることにより、光源部１０の色温度を変化させている。すなわち、例えば色温度を、ある色温度Ａ（図１０（Ａ））から別の色温度Ｂ（図１０（Ｂ））へと変化させる場合、図１０（Ｂ）中の矢印で示したように、青色ＬＥＤ１Ｂの点灯期間が約１／２となるように設定（点灯期間が、タイミングｔ２０１〜ｔ２０３までの期間ΔＴから、タイミングｔ２０１〜ｔ２０２までの期間となるように設定）するようになっている。しかしながら、これでは青色ＬＥＤ１Ｂの点灯期間が短くなってしまうため、バックライト装置をＰＷＭ制御によって輝度制御をする際に、階調の分解能が犠牲となってしまう。
【００５９】
そこで、比較例２および本実施の形態に係るバックライト装置では、例えば図１１に示したように、光源部１０の色温度を制御する手法として、各色用のＬＥＤ１Ｒ，１Ｇ，１Ｂの点灯期間を変化させる（ＰＷＭ制御）のではなく、各色用のＬＥＤ１Ｒ，１Ｇ，１Ｂに流す電流（例えば、図６に示した発光電流Ｉｆ１）を変化させるようにしている。すなわち、図１０に示した例と同様にして、例えば色温度を、ある色温度Ａ（図１１（Ａ））から別の色温度Ｂ（図１１（Ｂ））へと変化させる場合、図１１（Ｂ）中の矢印で示したように、青色ＬＥＤ１Ｂに流す電流（発光電流Ｉｆ１）が約１／２となるように設定するようになっている。この手法によれば、青色ＬＥＤ１Ｂの点灯期間が維持されるため、バックライト装置をＰＷＭ制御によって輝度制御をする際に、階調の分解能も維持されることになる。これにより、ＰＷＭ制御によって輝度制御をする際の階調の分解能を維持しつつ、光源部１０の色温度の制御が可能となる。
【００６０】
ところが、比較例２に係るバックライト装置では、図１２に示したように、本実施の形態のバックライト装置３（図６）とは異なり、抵抗器部１０４Ｂ全体としての抵抗値が固定化されている。すなわち、抵抗器部１０４Ｂでは、スイッチング素子１１２Ｂのソースと接地との間が１つの抵抗器Ｒ１のみによって接続されている。したがって、例えば図１３（Ａ）に示したように、オペアンプＯＰ１Ｂにより所望の発光輝度を得るための検出電圧Ｖ１の範囲がΔＶ１（最低電圧Ｖ１min（＝１．１Ｖ）〜最高電圧Ｖ１max（＝３．３Ｖ）の電圧範囲）である場合において、上記の例のように、青色ＬＥＤ１Ｂに流す電流Ｉｆ１０１を約１／２に設定すると、抵抗器部１０４Ｂの両端間の検出電圧Ｖ１も約１／２の大きさとなる（Ｖ１０１＝０．５５Ｖとなる：図中の矢印Ｐ１０１参照）ため、電圧Ｖ１がΔＶ１の電圧範囲から外れてしまい、オペアンプＯＰ１Ｂの動作点が変化してしまうことになる。よって、使用するオペアンプのダイナミックレンジが足りないときは、ＰＷＭドライバ１１３および抵抗器部１０４Ｂの動作が不安定になり、これによりバックライト装置からの照明光Ｌoutの色度点（色温度）が揺らいでしまうなど、バックライト装置としての発光動作も不安定になってしまうことになる。
【００６１】
これに対し、本実施の形態に係るバックライト装置１では、図６に示したように、光量バランス制御部１２１により設定された光源部１０の色温度に応じて、光量バランス制御部１２１から供給される制御信号Ｄ６Ｒ，Ｄ６Ｇ，Ｄ６Ｂにより、抵抗器部１１４Ｒ，１１４Ｇ，１１４Ｂ内の互いに並列接続された複数の抵抗器（例えば、抵抗器Ｒ１，Ｒ２）間の接続切替の制御がなされるようになっている。具体的には、例えば図１４に示したように、光量バランス制御部１２１では、まず、色温度の変更により、各色用のＬＥＤに流れる発光電流（例えば、発光電流Ｉｆ１）が減少するか否かを判断し（ステップＳ１１）、減少すると判断した場合（ステップＳ１１：Ｙ）には、抵抗器部１１４Ｒ，１１４Ｇ，１１４Ｂ全体としての抵抗値が増加するように複数の抵抗器間の接続切替の制御を行う（例えば、スイッチング素子ＳＷ２Ｂをオフ状態に設定する）（ステップＳ１２）一方、減少しないと判断した場合（ステップＳ１１：Ｎ）には、抵抗器部１１４Ｒ，１１４Ｇ，１１４Ｂ全体としての抵抗値が減少するように複数の抵抗器間の接続切替の制御を行う（例えば、スイッチング素子ＳＷ２Ｂをオン状態に設定する）ようになっている。（ステップＳ１３）。すなわち、光源部１０の色温度に応じて、抵抗器部１１４Ｒ，１１４Ｇ，１１４Ｂ全体としての抵抗値の調整が可能となる。
【００６２】
したがって、本実施の形態では例えば図１３（Ｂ）に示したように、上記の場合と同様にオペアンプＯＰ１Ｂにより所望の発光輝度を得るための検出電圧Ｖ１の範囲がΔＶ１である場合において、青色ＬＥＤ１Ｂに流す電流Ｉｆ１を約１／２に設定すると、それに伴って抵抗器部１１４Ｂ全体としての抵抗値も約２倍となるため、抵抗器部１１４Ｂの両端間の検出電圧Ｖ１が維持される（Ｖ１min＝１．１Ｖとなる：図中の矢印Ｐ１参照）。すなわち、抵抗器部１１４Ｂの両端間の電圧Ｖ１が、設定された色温度によらずに一定となるような制御が可能となり、電圧Ｖ１がΔＶ１の電圧範囲内に収まるため、オペアンプＯＰ１Ｂの動作点も維持される。
【００６３】
以上のように本実施の形態では、光量バランス制御部１２１により設定された光源部１０の色温度に応じて、光量バランス制御部１２１から供給される制御信号Ｄ６Ｒ，Ｄ６Ｇ，Ｄ６Ｂにより、抵抗器部１１４Ｒ，１１４Ｇ，１１４Ｂ内の互いに並列接続された複数の抵抗器（例えば、抵抗器Ｒ１，Ｒ２）間の接続切替の制御を行うようにしたので、色温度に応じて、抵抗器部１１４Ｒ，１１４Ｇ，１１４Ｂ全体としての抵抗値の調整をすることができ、ＰＷＭドライバ１１３および抵抗器部１０４Ｂにおける動作点も維持することが可能となる。よって、光源部１０の色温度の設定値によらずに安定した発光動作を行うことが可能となる。
【００６４】
また、各色用のＬＥＤ１Ｒ，１Ｇ，１Ｂの点灯期間をそれぞれ変化させることによって光源部１０の輝度を制御すると共に、これらＬＥＤ１Ｒ，１Ｇ，１Ｂのうちの少なくとも一種類のＬＥＤについて、そのＬＥＤの発光強度を変化させることによって光源部１０の色温度を制御するようにしたので、光源部１０の輝度制御の際の階調の分解能を維持することが可能となる。
【００６５】
また、安定した発光動作を行うことができるため、過剰な電流変化によるＬＥＤの発光効率の悪化を抑えることも可能となる。
【００６６】
また、抵抗器部１１４Ｒ，１１４Ｇ，１１４Ｂの両端間の電圧が、設定された色温度によらずに一定となるような制御が可能となり、電圧Ｖ１がΔＶ１の電圧範囲内に収まるようになるため、ＰＷＭドライバ１１３内のオペアンプとして、ダイナミックレンジが狭いものを用いることができ、部品コストを低減することも可能となる。
【００６７】
さらに、このようなバックライト装置１を液晶表示装置３のバックライト（液晶用光源装置）として用いるようにしたので、表示画面の一部のみに映像表示を行う際に、液晶表示パネル２から射出される表示光Ｄoutにおいても輝度や色度の変動が抑えることができ、表示映像の画質を向上させることが可能となる。
【００６８】
以上、実施の形態を挙げて本発明を説明したが、本発明はこの実施の形態に限定されるものではなく、種々の変形が可能である。
【００６９】
例えば、上記実施の形態では、抵抗器部が、互いに並列接続された２つの抵抗器を含んで構成されている場合について説明したが、抵抗器部内において、３つ以上の抵抗器が互いに並列接続されていると共に、これら３つ以上の抵抗器間の接続を多段階に切り換えるようにしてもよい。また、これら複数の抵抗器の抵抗値は必ずしも一致している必要はなく、これらの抵抗値が互いに異なっていると共に、各々の抵抗値に重み付けがなされているようにしてもよい。これらのように構成した場合、抵抗器部全体としての抵抗値の調整をより精密かつ利便よく行うようにすることができるため、より安定した発光動作を行うことが可能となる。
【００７０】
また、上記実施の形態では、光源部の色温度が、各色用のＬＥＤの発光強度のみによって制御されている場合について説明したが、例えば、各色用のＬＥＤの発光強度に加えてそれらの点灯期間も変化させることにより、光源部の色温度を制御するようにしてもよい。具体的には、色温度を変化させる際に、例えば途中までは発光強度の変化のみで制御すると共に、それでも色温度の変化が不十分な場合には、それ以降は発光強度に加えて点灯期間の変化も併用するようにする。このように構成した場合、色温度の可変範囲（ダイナミックレンジ）をより拡大させることが可能となる。
【００７１】
また、上記実施の形態では、各色のＬＥＤ間の相対的な発光強度を変化させることによって光源部の色温度を制御すると共に、この光源部の色温度に応じて、複数の抵抗器間の接続切替の制御を行う場合について説明したが、例えば、各ＬＥＤ単体の絶対的な発光強度が変化するように制御すると共に、この各ＬＥＤ単体の絶対的な発光強度に応じて、複数の抵抗器間の接続切替の制御を行うようにしてもよい。
【００７２】
また、上記実施の形態では、１つの検出領域４０内に４つの部分点灯部４が設けられている場合について説明したが、部分点灯部４の数についてはこれに限られない。また、上記実施の形態では、全体点灯期間Δｔ４において４つの部分点灯部４が全て点灯すると共に部分点灯期間Δｔ１において１つの部分点灯部１のみが点灯する場合について説明したが、全体点灯期間において点灯する部分点灯部４の数が部分点灯期間において点灯する部分点灯部４の数よりも多ければよく、この場合には限られない。
【００７３】
また、上記実施の形態では、１つの照明光センサ１３からの受光データを用いてバックライト駆動部１１の制御を行っているが、例えば光源部１０に対して互いに異なる位置等に複数の照明光センサを設け、それら複数の照明光センサからの受光データの平均値などを取ってバックライト駆動部１１の制御を行うようにしてもよい。
【００７４】
また、上記実施の形態では、光源部１０が、互いに独立して制御可能な複数の部分点灯部４により構成されると共に、この部分点灯部４単位で、光源部１０の輝度、光源部１０の色温度および抵抗器部１１４Ｒ，１１４Ｇ，１１４Ｂにおける接続切替の制御を行うようにした場合（バックライト装置の部分駆動の場合）について説明したが、本発明はこのような部分駆動の場合には限られず、光源部全体を一括して駆動・制御する場合にも適用することが可能である。
【００７５】
また、上記実施の形態では、赤色ＬＥＤ１Ｒ、緑色ＬＥＤ１Ｇおよび青色ＬＥＤ１Ｂが、それぞれ別個のパッケージ内に収容されている場合について説明したが、例えば、１つのパッケージ内にこれら複数色のＬＥＤが収容されているようにしてもよい。
【００７６】
また、上記実施の形態では、光源部１０が赤色ＬＥＤ１Ｒ、緑色ＬＥＤ１Ｇおよび青色ＬＥＤ１Ｂから構成されている場合で説明したが、これらに加えて（またはこれらに代えて）、他の色光を発するＬＥＤを含んで構成するようにしてもよい。４色以上の色光によって構成した場合、色再現範囲を拡大し、より多彩な色を表現することが可能となる。
【００７７】
また、上記実施の形態では、液晶表示装置３がバックライト装置１を含む透過型の液晶表示装置である場合について説明したが、本発明の光源装置によってフロントライト装置を構成し、反射型の液晶表示装置としてもよい。
【００７８】
また、上記実施の形態では、表示部の一例として液晶表示パネルを挙げて説明したが、表示部として、液晶表示パネル以外の他のものを用いるようにしてもよい。
【００７９】
さらに、本発明の光源装置は液晶表示装置用の光源装置だけでなく、例えば照明機器等、他の光源装置にも適用することが可能である。
【図面の簡単な説明】
【００８０】
【図１】本発明の一実施の形態に係る画像表示システム（液晶表示装置）の全体構成を表す斜視図である。
【図２】図１に示したバックライト装置内の光源部の単位ユニット（部分点灯部）の構成例を表す平面模式図である。
【図３】図２における光源部内の部分点灯部と照明光センサとの配置構成例を表す平面模式図である。
【図４】図１に示した液晶表示装置の全体構成を表すブロック図である。
【図５】図４に示した光源部の駆動および制御部分の構成を詳細に表したブロック図である。
【図６】図５に示した電源部、光源部、ＰＷＭドライバおよび抵抗器部の構成を詳細に表した回路図である。
【図７】光源部の駆動パルス信号について説明するためのタイミング波形図である。
【図８】図１に示した液晶表示パネルおよびバックライト装置の駆動方法の一例について説明するためのタイミング波形図である。
【図９】映像表示領域と部分点灯領域との配置関係の一例について説明するための斜視図である。
【図１０】比較例１に係る色温度の変更方法ついて説明するためのタイミング波形図である。
【図１１】比較例２および本実施の形態に係る色温度の変更方法について説明するためのタイミング波形図である。
【図１２】比較例２に係る電源部、光源部、ＰＷＭドライバおよび抵抗器部の構成を詳細に表した回路図である。
【図１３】比較例２および本実施の形態に係るオペアンプの動作電圧範囲について説明するための模式図である。
【図１４】本実施の形態に係る色温度の変更の際の抵抗器部の制御方法を表す流れ図である。
【符号の説明】
【００８１】
１…バックライト装置、１Ｒ…赤色ＬＥＤ、１Ｇ…緑色ＬＥＤ、１Ｂ…青色ＬＥＤ、１０…光源部、１１…バックライト駆動部、１１０…電源部、１１１Ｒ，１１１Ｇ，１１１Ｂ…定電流ドライバ、１１２Ｒ，１１２Ｇ，１１２Ｂ…スイッチング素子、１１３…ＰＷＭドライバ、１１４Ｒ，１１４Ｇ，１１４Ｂ…抵抗器部、１２…バックライト制御部、１２１…光量制御部、１２２…光量バランス制御部、１３…照明光センサ、１３Ｒ…赤色光センサ、１３Ｇ…緑色光センサ、１３Ｂ…青色光センサ、１４…Ｉ／Ｖ変換部、１５…Ａ／Ｄ変換部、２…液晶表示パネル、２０…液晶層、２１０，２２０…偏光板、２１１…ＴＦＴ基板、２１２…画素電極、２２１…対向電極基板、３…液晶表示装置、４，４Ａ，４Ｂ，４Ｃ，４Ｄ…単位ユニット（部分点灯部）、４０…検出領域、４１，４２…単位セル、５１…Ｘドライバ、５２…Ｙドライバ、６０…ＲＧＢプロセス処理部、６１…タイミング制御部、６２…映像メモリ、Ｌout…照明光、Ｄout…表示光、Ｌs…外光（環境光）、ＣＦＲ，ＣＦＧ，ＣＦＢ…カラーフィルタ、Ｄ０，Ｄ３，Ｄ４，Ｄ５，Ｄ６…制御データ（制御信号）、Ｄ１…受光データ、ＩＲ，ＩＧ，ＩＢ，Ｉｆ１…電流、Ｖcom…共通（コモン）電位、Ｖ１，Ｖ１min，Ｖ１max，Ｖ２…電圧、ΔＶ１…電圧範囲、ＶＣＣ_ＬＥＤ…電源、ＯＰ１Ｂ…オペアンプ、ＳＷ１Ｂ，ＳＷ２Ｂ…スイッチング素子、Ｒ１，Ｒ２…抵抗器、ｔ１〜ｔ３，ｔ１１〜ｔ１２，ｔ２１〜ｔ２５…タイミング、Ｐａ…表示映像、Ｐｂ…部分点灯領域、ＳＧ…サンプリングゲート信号、ΔＴ…パルス幅、ΔＩＲ，ΔＩＧ，ΔＩＢ，ΔＩＢ’…電流値（パルスの高さ）。
【図１】
2009157190.tif 000003
【図２】
2009157190.tif 000004
【図３】
2009157190.tif 000005
【図４】
2009157190.tif 000006
【図５】
2009157190.tif 000007
【図６】
2009157190.tif 000008
【図７】
2009157190.tif 000009
【図８】
2009157190.tif 000010
【図９】
2009157190.tif 000011
【図１０】
2009157190.tif 000012
【図１１】
2009157190.tif 000013
【図１２】
2009157190.tif 000014
【図１３】
2009157190.tif 000015
【図１４】
2009157190.tif 000016